【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
画像のうち所定領域を指定する領域指定部と、
画像内の少なくとも一部の画素又は小領域の色相角を算出し、前記所定領域内の画素又は小領域の色相角から前記所定領域内の基準色相角を算出する色相角算出部と、
画像内の少なくとも一部の画素又は小領域の色空間座標を算出し、前記所定領域内の画素又は小領域の色空間座標から前記所定領域内の基準色空間座標を算出する色空間座標算出部と、
少なくとも前記基準色相角と前記色相角との差と、前記基準色空間座標と前記色空間座標との色差と、に基づいて、前記画像から類似色領域を抽出する領域抽出部と、
を有することを特徴とする画像処理装置。
【請求項２】
前記領域抽出部が、前記基準色相角と前記色相角との差が第１の範囲内に収まる画素又は小領域で構成される色相角領域を前記画像から抽出する第１抽出部と、前記基準色空間座標と前記色空間座標との色差が第２の範囲内に収まる画素又は小領域で構成される色空間領域を前記画像から抽出する第２抽出部と、を有し、
前記領域抽出部が、前記色相角領域と前記色空間領域とが重なる領域を抽出することを特徴とする請求項１に記載の画像処理装置。
【請求項３】
前記色空間座標算出部が、少なくとも前記色相角領域内の画素又は小領域の色空間座標を算出し、算出された前記色空間座標から前記色相角領域の基準色空間座標を算出し、
前記領域抽出部が、前記基準色相角と前記色相角との差が第１の範囲内に収まる画素又は小領域で構成される色相角領域を前記画像から抽出し、前記基準色空間座標と前記色空間座標との色差が第２の範囲内に収まる画素又は小領域で構成される領域を前記色相角領域から抽出することを特徴とする請求項１に記載の画像処理装置。
【請求項４】
前記領域抽出部が、前記基準色相角と前記色相角との差が第１の範囲内に収まる画素又は小領域で構成され、かつ、前記基準色空間座標と前記色空間座標との色差が第２の範囲内に収まる画素又は小領域で構成される前記類似色領域を前記画像から抽出することを特徴とする請求項１に記載の画像処理装置。
【請求項５】
前記第２の範囲が、ＣＩＥ１９７６（Ｌ＊ａ＊ｂ＊）表色系に換算して、前記基準色空間座標と前記色空間座標との色差の絶対値が４５以下となる範囲であることを特徴とする請求項２乃至４のいずれか１項に記載の画像処理装置。
【請求項６】
画像のうち所定領域を指定する領域指定部と、
画像内の少なくとも一部の画素又は小領域の色相角を算出し、前記所定領域内の画素又は小領域の色相角から前記所定領域内の基準色相角を算出する色相角算出部と、
前記画像内の少なくとも一部の画素又は小領域のクロマティクネス指数を算出し、前記所定領域内の画素又は小領域のクロマティクネス指数から前記所定領域の基準クロマティクネス指数を算出するクロマティクネス指数算出部と、
少なくとも前記基準色相角と前記色相角との差と、前記基準クロマティクネス指数と前記クロマティクネス指数との色差と、に基づいて、前記画像から類似色領域を抽出する領域抽出部と、
を有することを特徴とする画像処理装置。
【請求項７】
前記領域抽出部が、前記基準色相角と前記色相角との差が第１の範囲内に収まる画素又は小領域で構成される色相角領域を前記画像から抽出する第１抽出部と、前記基準クロマティクネス指数と前記クロマティクネス指数との差が第３の範囲内に収まる画素又は小領域で構成されるクロマティクネス指数領域を前記画像から抽出する第３抽出部と、を有し、
前記領域抽出部が、前記色相角領域と前記クロマティクネス指数領域とが重なる領域を抽出することを特徴とする請求項６に記載の画像処理装置。
【請求項８】
前記クロマティクネス指数算出部が、少なくとも前記色相角領域内の画素又は小領域のクロマティクネス指数を算出し、算出された前記クロマティクネス指数から前記色相角領域の基準クロマティクネス指数を算出し、
前記領域抽出部が、前記基準色相角と前記色相角との差が第１の範囲内に収まる画素又は小領域で構成される色相角領域を前記画像から抽出し、前記基準クロマティクネス指数と前記クロマティクネス指数との色差が第３の範囲内に収まる画素又は小領域で構成される領域を前記色相角領域から抽出することを特徴とする請求項６に記載の画像処理装置。
【請求項９】
前記領域抽出部が、前記基準色相角と前記色相角との差が第１の範囲内に収まる画素又は小領域で構成され、かつ、前記基準クロマティクネス指数と前記クロマティクネス指数との差が第３の範囲内に収まる画素又は小領域で構成される領域を前記画像から抽出することを特徴とする請求項６に記載の画像処理装置。
【請求項１０】
前記第３の範囲は、前記基準クロマティクネス指数と前記クロマティクネス指数との差の絶対値が２０以下となる範囲であることを特徴とする請求項７乃至９のいずれか１項に記載の画像処理装置。
【請求項１１】
前記第１の範囲は、ＣＩＥ１９７６（Ｌ＊ａ＊ｂ＊）表色系に換算して、前記基準色相角と前記色相角との差の絶対値が３５（ｄｅｇ）以内となる範囲であることを特徴とする請求項２乃至５、７乃至１０のいずれか１項に記載の画像処理装置。
【請求項１２】
前記画像内の前記画素又は前記小領域の明度を算出する明度算出部をさらに有し、
前記領域抽出部が、さらに前記明度に基づいて、前記類似色領域を抽出することを特徴とする請求項１乃至１１のいずれか１項に記載の画像処理装置。
【請求項１３】
前記所定領域と関連のある部分と対応するマスクを設定するマスク設定部をさらに有し、
前記領域抽出部が、さらに前記マスクに基づいて前記類似色領域を抽出することを特徴とする請求項１乃至１２のいずれか１項に記載の画像処理装置。
【請求項１４】
前記領域指定部は、顔の領域の検出結果に基づき、前記所定領域を指定することを特徴とする請求項１乃至１３のいずれか１項に記載の画像処理装置。
【請求項１５】
前記領域指定部は、ユーザの指定に基づき、前記所定領域を指定することを特徴とする請求項１乃至１３のいずれか１項に記載の画像処理装置。
【請求項１６】
第１の画像のうち所定領域を指定する領域指定部と、
前記第１の画像内の少なくとも一部の画素又は小領域の第１の色相角を算出し、前記所定領域内の画素又は小領域から前記所定領域内の基準色相角を算出する色相角算出部と、
少なくとも前記基準色相角と前記第１の色相角との差に基づいて、前記第１の画像から第１の類似色領域を抽出する領域抽出部と、を有し、
前記色相角算出部が、前記第１の画像とは異なる第２の画像内の各画素又は各小領域の第２の色相角を算出し、
前記領域抽出部が、少なくとも前記基準色相角と前記第２の色相角との差に基づいて、前記第２の画像から第２の類似色領域を抽出することを特徴とする画像処理装置。
【請求項１７】
前記領域抽出部が、前記基準色相角と前記第１の色相角との差が第１の範囲内に収まる複数の画素又は複数の小領域で構成される第１の類似色領域を前記第１の画像から抽出し、前記基準色相角と前記第２の色相角との差が前記第１の範囲内に収まる複数の画素又は複数の小領域で構成される第２の類似色領域を前記第２の画像から抽出することを特徴とする請求項１６に記載の画像処理装置。
【請求項１８】
撮像素子と、請求項１乃至１７のいずれか１項に記載の画像処理装置と、を有する撮像装置。
【請求項１９】
顔の領域を検出する検出部をさらに有する請求項１８に記載の撮像装置。
【手続補正２】
【補正対象書類名】明細書
【補正対象項目名】０００８
【補正方法】変更
【補正の内容】
【０００８】
本発明の態様の１つである画像処理装置は、画像のうち所定領域を指定する領域指定部と、画像内の少なくとも一部の画素又は小領域の色相角を算出し、前記所定領域内の画素又は小領域の色相角から前記所定領域内の基準色相角を算出する色相角算出部と、画像内の少なくとも一部の画素又は小領域の色空間座標を算出し、前記所定領域内の画素又は小領域の色空間座標から前記所定領域内の基準色空間座標を算出する色空間座標算出部と、少なくとも前記基準色相角と前記色相角との差と、前記基準色空間座標と前記色空間座標との色差と、に基づいて、前記画像から類似色領域を抽出する領域抽出部と、を有することを特徴とする。なお、本発明のその他の態様については、以下で説明する実施の形態で明らかにする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】